(57)【要約】      （修正有）【課題】フレキソ版付スリーブの製造コストの低減を図り、また使用後のフレキソ版付スリーブの保管スペースを削減するフレキソ印刷機用版胴を提供する。【解決手段】内部に圧縮空気管路が設けられたマンドレル１と、マンドレルの外周面に取り付けられた円筒状のアダプタと、アダプタの外周面に装着されたスリーブ３と、スリーブの外周面に固着されたフレキソ版４ａ〜４ｄを備える。スリーブ３は、互いに取り外し可能に結合された複数のスリーブ部分３ａ〜３ｄからなる。フレキソ版４ａ〜４ｄはスリーブ部分３ａ〜３ｄ毎に独立に備えられる。マンドレル１が圧縮空気の供給を受けてアダプタが径方向に膨張することにより、スリーブ３がマンドレル１に密着固定される。【選択図】図１
0003197996.tif 000002
【実用新案登録請求の範囲】
【請求項１】
内部に圧縮空気管路が設けられたマンドレルと、
前記マンドレルの外周面に取り付けられた円筒状のアダプタと、
前記アダプタの外周面に装着されたスリーブと、
前記スリーブの外周面に固着されたフレキソ版と、を備え、前記マンドレルが圧縮空気の供給を受けて前記アダプタが径方向に膨張することにより、前記スリーブが前記マンドレルに密着固定されるようにしたフレキソ印刷機用版胴であって、
前記スリーブは、互いに取り外し可能に結合された複数のスリーブ部分からなり、前記フレキソ版が前記スリーブ部分毎に独立に固着されることを特徴とするフレキソ印刷機用版胴。
【請求項２】
前記スリーブ部分の一端縁には少なくとも１つの切欠部が設けられる一方、前記スリーブ部分の他端縁には前記切欠部に対応する突起部が設けられて前記スリーブ部分の軸方向にのび、１つの前記スリーブ部分の前記突起部または前記切欠部と他の前記スリーブ部分の対応する前記切欠部または前記突起部とが、前記スリーブ部分の軸方向または当該軸方向に直交する方向において嵌め合わされることによって、当該１つのスリーブ部分および当該他のスリーブ部分が互いに結合されるようになっており、前記フレキソ版は、前記スリーブ部分における前記切欠部および前記突起部の間の外周面領域に固着されることを特徴とする請求項１に記載のフレキソ印刷機用版胴。
【請求項３】
各１つの前記切欠部および前記突起部がそれぞれ前記スリーブ部分の一端縁および他端縁に設けられ、前記切欠部および前記突起部のそれぞれの前記スリーブ部分の軸方向にのびる両側面が、１の直径方向に沿って平行にならないように互いに対して傾斜していることを特徴とする請求項２に記載のフレキソ印刷機用版胴。
【請求項４】
２つの前記切欠部が前記スリーブ部分の一端縁における１の直径方向に対向する位置に設けられ、前記直径方向にとった射影において、第１の前記切欠部の領域内に第２の前記切欠部が位置している一方、２つの前記突起部が前記スリーブ部分の他端縁における前記直径方向に対向する位置に設けられ、前記第１の切欠部および前記第１の突起部のそれぞれの前記スリーブ部分の軸方向にのびる両側面、または前記第２の切欠部および前記第２の突起部のそれぞれの前記スリーブ部分の軸方向にのびる両側面、またはその両方が、前記直径方向に沿って平行にならないように互いに傾斜しており、前記１つのスリーブ部分の前記第１および第２の突起部または前記第１および第２の切欠部と、前記他のスリーブ部分の対応する前記第１および第２の切欠部または前記第１および第２の突起部とが前記軸方向に直交する方向において嵌め合わされることによって、当該１つのスリーブ部分および当該他のスリーブ部分が互いに結合されることを特徴とする請求項２に記載のフレキソ印刷機用版胴。
【請求項５】
前記複数のスリーブ部分がそれぞれ等しい長さを有していることを特徴とする請求項１〜請求項４のいずれかに記載のフレキソ印刷機用版胴。
【請求項６】
前記スリーブの両端に位置する前記スリーブ部分のそれぞれの外側端縁に、さらに、前記スリーブ部分と同径の、前記フレキソ版を有しない補助スリーブ部分が備えられ、前記補助スリーブ部分の一端縁には、関係する前記スリーブ部分の前記切欠部または前記突起部に対応する突起部または切欠部が設けられていることを特徴とする請求項１〜請求項５のいずれかに記載のフレキソ印刷機用版胴。
【考案の詳細な説明】
【技術分野】
【０００１】
本考案は、フレキソ印刷機において使用される版胴の改良に関するものである。
【背景技術】
【０００２】
フレキソ印刷機は、印刷機の印刷ユニットの配列方法の違いに応じて、スタック型フレキソ印刷機と、ＣＩ（Center Impression）型フレキソ印刷機と、インライン型フレキソ印刷機の３種類に分類される。
【０００３】
スタック型フレキソ印刷機は、図４（Ａ）に示すように、インク供給部１０、アニロックスロール１１、版胴１２および圧胴１３からなる印刷ユニットが、それぞれ独立に上下に積み重ねられた構成となっており、ＣＩ型フレキソ印刷機は、図４（Ｂ）に示すように、１つの大径の共通圧胴１４が中心に配置され、この共通圧胴１４の周囲に、インク供給部１０、アニロックスロール１１および版胴１２からなるユニットがそれぞれ独立に配置された構成となっている。
また、インライン型フレキソ印刷機は、図４（Ｃ）に示すように、インク供給部１０、アニロックスロール１１、版胴１２および圧胴１３からなる印刷ユニットが、それぞれ独立に直線上に配列された構成となっている。
【０００４】
図５は、これらのフレキソ印刷機において使用される版胴の一例の構成を示した斜視図である。
図５に示すように、フレキソ印刷機の版胴１２は、内部に圧縮空気管路が設けられたマンドレル１と、マンドレル１の外周面に取り付けられた円筒状のアダプタ２と、アダプタ２の外周面に装着されたスリーブ３と、スリーブ３の外周面に固着されたフレキソ版４とから構成されている。
【０００５】
この場合、マンドレル１は所定の外径のものが常時印刷機のフレームに装着されており、印刷のリピート長に応じて、適当な厚さのアダプタ２がマンドレル１上に取り付けられ、さらに、このアダプタ２に適合した径および適当な厚さを有し、かつ予めフレキソ版４（厚さ一定）が固着されたスリーブ３がアダプタ上に装着される。
【０００６】
この場合、フレキソ版４は、通常、版胴１２の軸方向に整列した複数の版面を有し、クッションテープを介してスリーブ３上に固着されている。
そして、マンドレル１に圧縮空気が供給されることで、アダプタ２が径方向に膨張し、それによってスリーブ３がアダプタ２に密着固定され、版胴１２のセッティングが完了する。その後、印刷機の運転が開始される。
【０００７】
印刷作業が完了すると、印刷機の運転が停止され、その後、マンドレル１から圧縮空気が排出される。そして、使用後のフレキソ版４がスリーブ３ごと取り外され、必要な場合には、アダプタ２も取り外される。
スリーブ３ごと取り外されたフレキソ版４は、次回に同一の印刷物を製造する場合に備えて保管される。
【０００８】
こうして、従来技術によれば、以前に製造されたものと同じ印刷物が製造される場合には、保管されていた（スリーブ３に固着された状態の）フレキソ版４がそのまま使用される一方、新たな種類の印刷物が製造される場合には、新たにフレキソ版４が製造されて、スリーブ３に固着され、フレキソ版付スリーブ３、４が新たに製造される（例えば、特許文献１、非特許文献１等参照）。
【０００９】
フレキソ印刷によれば、印刷物には、通常、図６に示すような、版胴の軸方向に一定間隔１６ａ〜１６ｃをあけて整列した複数の印刷面１５ａ〜１５ｄが、版胴の軸に垂直な方向に一定のリピート長で繰り返し生成される。
ところで、これらの印刷面１５ａ〜１５ｄのうちの１つまたは２以上が製造すべき印刷物間で一致する場合がある。
【００１０】
しかしながら、従来技術によれば、フレキソ版４の製造がスリーブ３単位で行われ、そのため、１つまたは２以上の印刷面１５ａ〜１５ｄが製造すべき印刷物間で一致しても、印刷面１５ａ〜１５ｄの全てについて一致しない限りは（単に組み合わせ順序が異なる場合は除く）、別個にフレキソ版付スリーブ３、４が製造されており、フレキソ版付スリーブ３、４の製造コストが高くつき、また、使用後のフレキソ版付スリーブ３、４の保管のための広いスペースを確保しなければならないという問題があった。
【先行技術文献】
【特許文献】
【００１１】
【特許文献１】特表２０１３−５２８５１３号公報
【非特許文献】
【００１２】
【非特許文献１】藤井一記、「フレキソ印刷版材の最新技術動向」、日本印刷学会誌、２００３年、第４０巻、第５号、ｐ．３０２−ｐ．３１１
【考案の概要】
【考案が解決しようとする課題】
【００１３】
したがって、本考案の課題は、フレキソ版付スリーブの製造コストの低減を図り、また使用後のフレキソ版付スリーブの保管スペースを削減することにある。
【課題を解決するための手段】
【００１４】
上記課題を解決するため、本考案は、内部に圧縮空気管路が設けられたマンドレルと、前記マンドレルの外周面に取り付けられた円筒状のアダプタと、前記アダプタの外周面に装着されたスリーブと、前記スリーブの外周面に固着されたフレキソ版と、を備え、前記マンドレルが圧縮空気の供給を受けて前記アダプタが径方向に膨張することにより、前記スリーブが前記マンドレルに密着固定されるようにしたフレキソ印刷機用版胴であって、前記スリーブは、互いに取り外し可能に結合された複数のスリーブ部分からなり、前記フレキソ版が前記スリーブ部分毎に独立に固着されることを特徴とするフレキソ印刷機用版胴を構成したものである。
【００１５】
上記構成において、好ましくは、前記スリーブ部分の一端縁には少なくとも１つの切欠部が設けられる一方、前記スリーブ部分の他端縁には前記切欠部に対応する突起部が設けられて前記スリーブ部分の軸方向にのび、１つの前記スリーブ部分の前記突起部または前記切欠部と他の前記スリーブ部分の対応する前記切欠部または前記突起部とが、前記スリーブ部分の軸方向または当該軸方向に直交する方向において嵌め合わされることによって、当該１つのスリーブ部分および当該他のスリーブ部分が互いに結合されるようになっており、前記フレキソ版は、前記スリーブ部分における前記切欠部および前記突起部の間の外周面領域に固着される。
【００１６】
この場合、各１つの前記切欠部および前記突起部がそれぞれ前記スリーブ部分の一端縁および他端縁に設けられ、前記切欠部および前記突起部のそれぞれの前記スリーブ部分の軸方向にのびる両側面が、１の直径方向に沿って平行にならないように互いに対して傾斜していてもよい。
【００１７】
あるいは、２つの前記切欠部が前記スリーブ部分の一端縁における１の直径方向に対向する位置に設けられ、前記直径方向にとった射影において、第１の前記切欠部の領域内に第２の前記切欠部が位置している一方、２つの前記突起部が前記スリーブ部分の他端縁における前記直径方向に対向する位置に設けられ、前記第１の切欠部および前記第１の突起部のそれぞれの前記スリーブ部分の軸方向にのびる両側面、または前記第２の切欠部および前記第２の突起部のそれぞれの前記スリーブ部分の軸方向にのびる両側面、またはその両方が、前記直径方向に沿って平行にならないように互いに傾斜しており、前記１つのスリーブ部分の前記第１および第２の突起部または前記第１および第２の切欠部と、前記他のスリーブ部分の対応する前記第１および第２の切欠部または前記第１および第２の突起部とが前記軸方向に直交する方向において嵌め合わされることによって、当該１つのスリーブ部分および当該他のスリーブ部分が互いに結合されるようになっていてもよい。
【００１８】
また好ましくは、前記複数のスリーブ部分がそれぞれ等しい長さを有している。
また、前記スリーブの両端に位置する前記スリーブ部分のそれぞれの外側端縁に、さらに、前記スリーブ部分と同径の、前記フレキソ版を有しない補助スリーブ部分が備えられ、前記補助スリーブ部分の一端縁には、関係する前記スリーブ部分の前記切欠部または前記突起部に対応する突起部または切欠部が設けられていてもよい。
【考案の効果】
【００１９】
本考案によれば、フレキソ印刷機の版胴のスリーブを互いに取り外し自在に結合された複数のスリーブ部分から構成し、フレキソ版をスリーブ部分毎に独立に固着するようにしたので、フレキソ版における版胴の軸方向に整列した複数の版面を互いに独立して取り扱うことができる。
【００２０】
そして、製造すべき印刷物の印刷面にそれぞれ一致した複数のフレキソ版付スリーブ部分を互いに結合して印刷に必要なスリーブを形成し、それをアダプタを介してマンドレルに装着することによって、版胴のセッティングを行えばよい。
【００２１】
その際、既に使用されたフレキソ版付スリーブ部分が保管されている場合は、当該フレキソ版付スリーブ部分を再使用すれば足り、新たな版面が必要な場合には、当該版面を有するフレキソ版と対応するスリーブ部分を製造し、フレキソ版付スリーブ部分を製造すればよい。
【００２２】
こうして、１つまたは２以上の印刷面が同じ印刷物を製造する場合に、フレキソ版付スリーブ部分を共用することができ、それによって、フレキソ版付スリーブの製造コストを従来よりも抑制することができ、また、使用後のフレキソ版付スリーブの保管スペースも削減できる。
【図面の簡単な説明】
【００２３】
【図１】本考案の１実施例によるフレキソ印刷機用版胴の側面図であり、（Ａ）はスリーブを複数のスリーブ部分から構成した例を示し、（Ｂ）は、両端のスリーブ部分のそれぞれの外側に補助スリーブ部分を結合した例をそれぞれ示している。
【図２】図１に示した版胴のスリーブ部分の両端縁の一構成例を示す図であり、（Ａ）はスリーブ部分の一端縁付近の側面図であり、（Ｂ）はスリーブ部分の一端縁を軸方向に見た平面図であり、（Ｃ）はスリーブ部分の他端縁を軸方向に見た平面図であり、（Ｄ）はスリーブ部分の他端縁付近の側面図である。
【図３】図１に示した版胴のスリーブ部分の両端縁の別の構成例を示す、図２に類似の図である。
【図４】従来の各種フレキソ印刷機の主要部の構成を示す概略図である。
【図５】従来のフレキソ印刷機で使用される版胴の一例の構成を示す斜視図である。
【図６】フレキソ印刷による印刷面の繰り返し単位の一例を示す平面図である。
【考案を実施するための形態】
【００２４】
以下、添付図面を参照しつつ本考案の好ましい実施例を説明する。図１（Ａ）は、本考案の１実施例によるフレキソ印刷機用版胴の側面図である。本考案による版胴は、図５に示した従来の版胴と、スリーブおよびフレキソ版の構成のみが異なるだけである。よって、図１（Ａ）中、図５に示したものと同じ構成要素には同一番号を付し、以下では、それらの詳細な説明を省略する。
【００２５】
図１（Ａ）を参照して、本考案によれば、スリーブ３は、互いに取り外し可能に結合された複数（この実施例では４つ）のスリーブ部分３ａ〜３ｄからなり、フレキソ版４ａ〜４ｄがスリーブ部分３ａ〜３ｄ毎に独立に固着されるようになっている。
この実施例では、スリーブ部分３ａ〜３ｄはいずれも等しい長さを有している。
【００２６】
各スリーブ部分３ａ〜３ｄを結合するための構成としては種々のものが考えられるが、以下では、それらのうちのいくつかを具体例を挙げて説明する。
図２は、図１に示したスリーブ部分の両端縁の一構成例を示す図であり、（Ａ）はスリーブ部分の一端縁付近の側面図であり、（Ｂ）はスリーブ部分の一端縁を軸方向に見た平面図であり、（Ｃ）はスリーブ部分の他端縁を軸方向に見た平面図であり、（Ｄ）はスリーブ部分の他端縁付近の側面図である。
【００２７】
図２を参照して、スリーブ部分３ａの一端縁５ａにおける１の直径方向に対向する位置に各１つの切欠部６、７が設けられている。各切欠部６、７はスリーブ部分３ａの周方向に一定の幅でのびる矩形状を有しており、上記直径方向にとった射影において、第１の切欠部６の領域内に第２の切欠部７が位置している。
【００２８】
また、スリーブ部分３ａの他端縁５ｂにおける上記直径方向に対向する位置に、第１および第２の切欠部６、７に対応する矩形状の第１および第２の突起部８、９が設けられ、スリーブ部分３ａの軸方向にのびている。
【００２９】
さらに、第１の切欠部６および第１の突起部８のそれぞれのスリーブ部分３ａの軸方向にのびる両側面６ａ、６ｂ；８ａ、８ｂが、スリーブ部分３ａの径方向内向きに先細り状になるように互いに傾斜している。
一方、第２の切欠部７および第２の突起部９のそれぞれのスリーブ部分３ａの軸方向にのびる両側面７ａ、７ｂ；９ａ、９ｂは、上記直径方向に沿って平行にのびている。
【００３０】
この場合、第１の切欠部６および第１の突起部８の両側面６ａ、６ｂ；８ａ、８ｂが上記直径方向に沿って平行にのびる一方、第２の切欠部７および第２の突起部９の両側面７ａ、７ｂ；９ａ、９ｂが、スリーブ部分３ａの径方向外向きに先細り状になるように互いに傾斜していてもよいし、あるいは、第１の切欠部６および第１の突起部８の両側面６ａ、６ｂ；８ａ、８ｂがスリーブ部分３ａの径方向内向きに先細り状になるように互いに傾斜し、かつ第２の切欠部７および第２の突起部９の両側面７ａ、７ｂ；９ａ、９ｂが、スリーブ部分３ａの径方向外向きに先細り状になるように互いに傾斜していてもよい。
【００３１】
この実施例では、各スリーブ部分３ａ〜３ｄの結合方法は２通りある。
第１の結合方法は各スリーブ部分３ａ〜３ｄを互いに軸方向に直交する方向に結合する方法であり、この方法によれば、例えば、まず、１つのスリーブ部分３ａと他のスリーブ部分３ｂが当該１つのスリーブ部分３ａが上になるように上下に互いに間隔をあけて、当該１つのスリーブ部分３ａの第１および第２の突起部８、９が第１の突起部８が上になるように上下に整列し、かつ当該他のスリーブ部分３ｂの第１および第２の切欠部６、７が第１の切欠部６が上になるように整列した状態で配置される。
【００３２】
次いで、当該１つのスリーブ部分３ａと当該他のスリーブ部分３ｂが上下方向（スリーブ部分３ａ、３ｂの軸方向に直交する方向）に互いに近づけられ、当該１つのスリーブ部分３ａの第２の突起部９が、当該他のスリーブ部分３ｂの第１の切欠部６を通過した後、当該他のスリーブ部分の第２の切欠部７に嵌め合されるとともに、当該１つのスリーブ部分３ａの第１の突起部８が当該他のスリーブ部分３ｂの第１の切欠部６に嵌め合わされることによって、当該１つのスリーブ部分３ａと当該他のスリーブ部分３ｂが互いに結合される。
【００３３】
このとき、当該１つのスリーブ部分３ａと当該他のスリーブ部分３ｂの位置関係が極端に変化（例えば、２つのスリーブ部分３ａ、３ｂが軸まわりに１８０度回転せしめられる等）しない限り、第１の突起部８の両側面８ａ、８ｂが第１の切欠部６の両側面６ａ、６ｂに当接した状態が維持され、それによって、当該１つのスリーブ部分３ａと当該他のスリーブ部分３ｂの位置合わせ（特に軸方向に直交する方向の位置合わせ）を確実に行うことができる。
【００３４】
第２の結合方法は各スリーブ部分３ａ〜３ｄを互いに軸方向に結合する方法であり、この方法によれば、例えば、まず、１つのスリーブ部分３ａと他のスリーブ部分３ｂが軸方向に互いに間隔をあけて、当該１つのスリーブ部分３ａの第１および第２の突起部８、９が第１の突起部８が上になるように整列し、かつ当該他のスリーブ部分３ｂの第１および第２の切欠部６、７が第１の切欠部６が上になるように整列した状態で配置される。
【００３５】
次いで、当該１つのスリーブ部分３ａと当該他のスリーブ部分３ｂが軸方向に互いに近づけられ、当該１つのスリーブ部分３ａの第１の突起部８が当該他のスリーブ部分３ｂの第１の切欠部６に嵌め合わされるとともに、当該１つのスリーブ部分３ａの第２の突起部９が当該他のスリーブ部分３ｂの第２の切欠部７に嵌め合されることによって、当該１つのスリーブ部分３ａと当該他のスリーブ部分３ｂが互いに結合される。
【００３６】
図３は、図１に示した版胴のスリーブ部分の両端縁の別の構成例を示す、図２に類似の図である。図３を参照して、この実施例では、スリーブ部分３ａ’の一端縁５ａ’における１の直径方向に対向する位置に各１つの切欠部６’、７’が設けられている。各切欠部６’、７’は、スリーブ部分３ａの周方向に一定の幅でのびる矩形状の外側切欠部分と、外側切欠部分の内側に接続して、外側切欠部分に平行に一定の幅でのびる内側切欠部分とからなる凸状をなし、上記直径方向にとった射影において、第１の切欠部６’の領域内に第２の切欠部７’が位置している。
【００３７】
また、スリーブ部分３ａ’の他端５ｂ’における上記直径方向に対向する位置に、第１および第２の切欠部６’、７’に対応する逆凸状の突起部８’、９’が設けられ、スリーブ部分３ａ’の軸方向にのびている。
【００３８】
さらに、第１の切欠部６’のスリーブ部分３ａ’の軸方向にのびる両側面６ａ’、６ｃ’；６ｂ’、６ｄ’、および第１の突起部８’の当該軸方向にのびる両側面８ａ’、８ｃ’；８ｂ’、８ｄ’が、それぞれ、スリーブ部分３ａ’の径方向内向きに先細り状になるように互いに傾斜している。
一方、第２の切欠部７’の当該軸方向にのびる両側面７ａ’、７ｃ’；７ｂ’、７ｄ’、および第２の突起部９’の当該軸方向にのびる両側面９ａ’、９ｃ’；９ｂ’、９ｄ’は、上記直径方向に沿って平行にのびている。
【００３９】
この実施例の場合には、１つのスリーブ部分３ａ’と他のスリーブ部分３ｂ’との結合は、図１に示した実施例の場合の第１の結合方法、すなわち、各スリーブ部分３ａ’、３ｂ’を互いに軸方向に直交する方向に結合する方法によって、図２に示した実施例の場合と同様にしてなされる。
この実施例によれば、１つのスリーブ部分３ａ’と他のスリーブ部分３ｂ’との結合を、軸方向および軸方向に直交する方向に確実に位置合わせした状態で行うことができる。
【００４０】
図１（Ｂ）は図１（Ａ）に示した実施例の変形例を示した側面図である。図１（Ｂ）を参照して、この変形例では、スリーブ３の両端に位置するスリーブ部分３ａ、３ｄのそれぞれの外側端縁に、さらに、スリーブ部分３ａ、３ｄと同径の、フレキソ版を有しない補助スリーブ部分３ｅが備えられている。
補助スリーブ部分３ｅの一端縁には、関係するスリーブ部分３ａ、３ｄの切欠部または突起部に対応する突起部または切欠部が設けられている。
【００４１】
こうして、本考案によれば、製造すべき印刷物の印刷面にそれぞれ一致した複数のフレキソ版付スリーブ部分を互いに結合して印刷に必要なスリーブを形成し、それをアダプタを介してマンドレルに装着することによって、版胴のセッティングが行われる。
【００４２】
その際、既に使用されたフレキソ版付スリーブ部分が保管されている場合は、当該フレキソ版付スリーブ部分を再使用すれば足り、新たな版面が必要な場合には、当該版面を有するフレキソ版と対応するスリーブ部分が製造され、フレキソ版付スリーブ部分が製造される。
【００４３】
その結果、１つまたは２以上の印刷面が同じ印刷物を製造する場合に、フレキソ版付スリーブ部分の共用が可能となり、それによって、フレキソ版付スリーブの製造コストが従来よりも抑制され、また、使用後のフレキソ版付スリーブの保管スペースも削減される。
【００４４】
以上、本考案の構成を好ましいいくつかの実施例に基づいて説明したが、本考案の構成はこれらの実施例に限定されるものではなく、添付の実用新案登録請求の範囲に記載した構成の範囲内で種々の変形例を創作し得ることは言うまでもない。
【００４５】
例えば、上記実施例では、一対の切欠部をスリーブ部分の一側縁に設けられ、対応する一対の突起部がスリーブ部分の他側縁に設けられたが、スリーブ部分の一端縁には少なくとも１つの切欠部が設けられる一方、スリーブ部分の他側縁に、当該切欠部に対応する突起部が設けられればよい。
また、各スリーブ部分を互いに軸方向にのみ結合するのであれば、第１および第２の切欠部（および対応する第１および第２の突起部）の１の直径方向にとった射影を考慮する必要はない。
【符号の説明】
【００４６】
１  マンドレル
２  アダプタ
３  スリーブ
３ａ〜３ｄ、３ａ’〜３ｄ’  スリーブ部分
３ｅ  補助スリーブ部分
４  フレキソ版
４ａ〜４ｄ  フレキソ版
５ａ、５ａ’  一端縁
５ｂ、５ｂ’  他端縁
６、６’  第１の切欠部
６ａ、６ｂ、６ａ’〜６ｄ’  スリーブ部分の軸方向にのびる側面
７、７’  第２の切欠部
７ａ、７ｂ、７ａ’〜７ｄ’  スリーブ部分の軸方向にのびる側面
８、８’  第１の突起部
８ａ、８ｂ、８ａ’〜８ｄ’  スリーブ部分の軸方向にのびる側面
９、９’  第２の突起部
９ａ、９ｂ、９ａ’〜９ｄ’  スリーブ部分の軸方向にのびる側面
１０  インク供給部
１１  アニロックスロール
１２  版胴
１３  圧胴
１４  共通圧胴
１５ａ〜１５ｄ  印刷面
１６ａ〜１６ｃ  間隔
【図１】
0003197996.tif 000003
【図２】
0003197996.tif 000004
【図３】
0003197996.tif 000005
【図４】
0003197996.tif 000006
【図５】
0003197996.tif 000007
【図６】
0003197996.tif 000008